(57)【要約】【課題】簡易な構造で省スペース化が可能なルーバの回動機構を備える空気調和機を提供する。【解決手段】天井に設けられるユニット本体のパネル本体に設けられて、下方に開口して空調風を吹き出す吹出口と、吹出口に設けられた第二のルーバ１２と、第二のルーバ１２を吹出口の開口する開位置と、閉塞する閉位置との間で回動させる回動機構３１と、を備え、回動機構３１は、モータ３３と、モータ３３によって回転され、第二のルーバ１２の回動中心軸Ｏ２に沿って延びかつ第二のルーバ１２よりも上方に設けられたネジシャフト３２と、ネジシャフト３２に螺合するナット３４と、第二のルーバ１２の回動中心軸Ｏ２と交差する方向に回動中心軸Ｏ２と離れた位置で、ナット３４に第二のルーバ１２の裏面を接続する接続部材３７と、を有する。【選択図】図４
2018115808.tif 000002
【特許請求の範囲】
【請求項１】
天井に設けられる本体部と、
前記本体部に設けられて下方に開口して空調風を吹き出す吹出口と、
前記吹出口に設けられたルーバと、
前記ルーバを前記吹出口の開口する開位置と、閉塞する閉位置との間で回動させる回動機構と、
を備え、
前記回動機構は、
駆動部と、
前記駆動部によって回転され、前記ルーバの回動中心軸に沿って延び、かつ前記ルーバよりも上方に設けられたネジシャフトと、
前記ネジシャフトに螺合するナットと、
前記ルーバの回動中心軸と交差する方向に該回動中心軸と離れた位置で、前記ナットに前記ルーバの裏面を接続する接続部材と、
を有する空気調和機。
【請求項２】
前記接続部材は、前記回動中心軸に交差する方向に、該回動中心軸から離れた先端部の位置で、かつ、前記回動中心軸の方向の中央位置で前記ルーバの裏面に接続されている請求項１に記載の空気調和機。
【請求項３】
前記ルーバの裏面に設けられて前記接続部材が接続されるルーバ支持部と、
前記ルーバ支持部を挟んで前記回動中心軸の方向に前記ナットとは反対側で前記本体部に設けられた本体側支持部と、
をさらに備え、
前記回動機構は、
前記ルーバ支持部と前記本体側支持部とを接続する補助接続部材をさらに有し、
前記本体側支持部は、前記本体部に形成されて前記回動中心軸の方向に延びる長穴、及び、該長穴に配置されて前記補助接続部材が接続されるピン状部材を有する請求項１又は２に記載の空気調和機。
【請求項４】
前記長穴は、前記ルーバ支持部に近接する側よりも、前記ルーバ支持部から離れる側の方が上方に位置している請求項３に記載の空気調和機。
【請求項５】
前記長穴は、前記回動中心軸に沿って延びる直線部と、前記直線部に前記ルーバ支持部に近接する側で連続して、前記ルーバ支持部に近接するに従って下方に向かって傾斜して延びる傾斜部と、を有している請求項４に記載の空気調和機。
【請求項６】
前記本体部に対して前記ナットの相対回転を規制する規制部をさらに備えている請求項１から５のいずれか一項に記載の空気調和機。
【発明の詳細な説明】
【技術分野】
【０００１】
本発明は、天井に設けられる空気調和機に関する。
【背景技術】
【０００２】
従来から、室内の天井に設けられる空気調和機が知られている。このような空気調和機では、中央部分に空気の吸込口が設けられ、その周りを囲むように空気の吹出口が複数設けられている。
【０００３】
このような天井に設置される空気調和機は例えば特許文献１に記載されている。特許文献１に記載された空気調和機では、吹出口を開閉するルーバと、ルーバをさらに取り囲む第二のルーバとが設けられている。そしてルーバと第二のルーバとをそれぞれ回動させることで、ドラフト感を回避するようにしている。
【先行技術文献】
【特許文献】
【０００４】
【特許文献１】特開２０１６−１０９３１０号公報
【発明の概要】
【発明が解決しようとする課題】
【０００５】
しかしながら特許文献１に開示された第二のルーバは、ルーバに比べて外形寸法が大きく重量が大きいものである。よってこの第二のルーバを回動させる機構では、モータに大きなトルクが必要となることで駆動機構の大型化の問題がある。この結果、駆動機構の配置スペースが大きくなるといった問題が生じ得る。
【０００６】
そこで本発明は、簡易な構造で省スペース化が可能なルーバの回動機構を備える空気調和機を提供する。
【課題を解決するための手段】
【０００７】
本発明の第一の態様に係る空気調和機は、天井に設けられる本体部と、前記本体部に設けられて下方に開口して空調風を吹き出す吹出口と、前記吹出口に設けられたルーバと、前記ルーバを前記吹出口の開口する開位置と、閉塞する閉位置との間で回動させる回動機構と、を備え、前記回動機構は、駆動部と、前記駆動部によって回転され、前記ルーバの回動中心軸に沿って延び、かつ前記ルーバよりも上方に設けられたネジシャフトと、前記ネジシャフトに螺合するナットと、前記ルーバの回動中心軸と交差する方向に該回動中心軸と離れた位置で、前記ナットに前記ルーバの裏面を接続する接続部材と、を有している。
【０００８】
このような空気調和機によれば、ネジシャフトを駆動部によって回転させることで、ナットがネジシャフトに対して相対回転する。この際、接続部材とルーバとの接続部分に対してナットを遠ざけるようにネジシャフトを回転させることで、容易にルーバ―を持ち上げ、ルーバを閉位置に配置することができる。一方、接続部材とルーバとの接続部分にナットを近づけるように駆動部によってネジシャフトを回転させることで容易にルーバを吹出口から遠ざけて、ルーバを開位置に配置することができる。
そしてネジシャフトを回動機構に用いることで、高さ方向の回動機構の占有スペースも削減することができる。
【０００９】
上記の空気調和機では、前記接続部材は、前記回動中心軸に交差する方向に、該回動中心軸から離れた先端部の位置で、かつ、前記回動中心軸の方向の中央位置で前記ルーバの裏面に接続されていてもよい。
【００１０】
このような空気調和機では、回動中心軸から離れた先端部の位置で接続部材がルーバの裏面に接続されているため、ルーバを回動させる際にルーバの先端部が自重で撓み変形してしまうことを抑制できる。よってこのようにルーバの先端部に接続部材が接続されていることで、ルーバの強度アップが不要となり、ルーバの大型化を抑えることが可能である。またルーバの大型化を抑えることで回動機構の駆動部の駆動力アップの必要がなくなり、駆動部の大型化も回避できる。
【００１１】
また、上記の空気調和機では、前記ルーバの裏面に設けられて前記接続部材が接続されるルーバ支持部と、前記ルーバ支持部を挟んで前記回動中心軸の方向に前記ナットとは反対側で前記本体部に設けられた本体側支持部と、をさらに備え、前記回動機構は前記ルーバ支持部と前記本体側支持部とを接続する補助接続部材をさらに有し、前記本体側支持部は、前記本体部に形成されて前記回動中心軸の方向に延びる長穴、及び、該長穴に配置されて前記補助接続部材が接続されるピン状部材を有していてもよい。
【００１２】
ルーバが開位置から閉位置に回動させる際には、ネジシャフトの回転によってナットが回動中心軸の方向にルーバ支持部から離れる方向に移動し、接続部材がルーバ支持部を引っ張るように動作する。この際、長穴のピン状部材とルーバ支持部とを接続する補助接続部材を設けることで、補助接続部材によって接続部材の引っ張り方向とは反対方向にルーバ支持部を引っ張るような力を発生させることができる。よって、接続部材によってルーバを持ち上げる際にルーバの撓み変形を抑えることができる。よってルーバの強度アップの必要性がなくなる。
【００１３】
また、上記の空気調和機では、前記長穴は、前記ルーバ支持部に近接する側よりも、前記ルーバ支持部から離れる側の方が上方に位置していてもよい。
【００１４】
このような長穴を設けることで、ルーバを閉位置に動作させる際、長穴内をピン状部材が回動中心軸の方向にルーバ支持部に向かって移動して補助接続部材が引っ張られつつピン状部材が下方に向かう。よってルーバが閉位置に向かうにつれて、ルーバの持ち上げ量を大きくすることができる。この結果、閉位置でルーバによって吹出口をしっかりと閉塞することができる。
【００１５】
また、上記の空気調和機では、前記長穴は、前記回動中心軸に沿って延びる直線部と、前記直線部に前記ルーバ支持部に近接する側で連続して、前記ルーバ支持部に近接するに従って下方に向かって傾斜して延びる傾斜部と、を有していてもよい。
【００１６】
このような傾斜部を長穴に設けることで、ルーバが閉位置に向かうにつれて、直線部内をピン状部材が移動している間はネジシャフトの回転数が一定であれば一定の上昇率でルーバが持ち上げられ、最終的に閉位置に近づくと傾斜部内をピン状部材が移動することでルーバ支持部の上方への持ち上げ量を急激に大きくすることができる。この結果、閉位置でルーバによって吹出口をしっかりと閉塞することができる。
【００１７】
また、上記の空気調和機は、前記本体部に対して前記ナットの相対回転を規制する規制部をさらに備えていてもよい。
【００１８】
このような規制部によって、ネジシャフトの回転に伴ってナットがネジシャフトと共に回転してしまうことを回避することができる。この結果、ネジシャフトとナットとの相対回転を可能とし、ルーバをしっかりと閉位置と開位置との間で回動させることが可能となる。
【発明の効果】
【００１９】
上記の空気調和機によれば、ネジシャフトとナットとを有する回動機構を用いることで回動機構を簡易な構造にでき、省スペース化が可能となる。
【図面の簡単な説明】
【００２０】
【図１】本発明の実施形態の空気調和機の全体斜視図であって、第二のルーバが開位置に配置されている状態を示す図である。
【図２】本発明の実施形態の空気調和機の全体斜視図であって、第二のルーバが閉位置に配置されている状態を示す図である。
【図３】本発明の実施形態の空気調和機の第二のルーバを裏面から見た斜視図である。
【図４】本発明の実施形態の空気調和機の第二のルーバ、及び、回動機構を模式的に示す図であって、図１のＡ−Ａ断面図である。また開位置に配置されている状態を示す図である。
【図５】本発明の実施形態の空気調和機の第二のルーバ、及び、回動機構を模式的に示す図であって、図２のＢ−Ｂ断面図である。またルーバが閉位置に配置されている状態を示す図である。
【図６】本発明の実施形態の第一変形例に係る空気調和機の第二のルーバ、及び、回動機構を模式的に示す図である。
【図７】本発明の実施形態の第二変形例に係る空気調和機の第二のルーバ、及び、回動機構を模式的に示す図である。
【図８】本発明の実施形態の第三変形例に係る空気調和機の第二のルーバ、及び、回動機構を模式的に示す図である。
【発明を実施するための形態】
【００２１】
以下、本発明の実施形態の空気調和機１について説明する。
図１及び図２に示すように、空気調和機１は、天井に埋め込んで設けられたユニット本体（本体部）２と、ユニット本体２に設けられた吸込口３及び吹出口４と、吹出口４を開閉する第一のルーバ１１及び第二のルーバ１２とを備えている。
【００２２】
ユニット本体２は不図示の熱交換器、及び送風ファン等を収容し、吸い込んだ室内の空気の温度、湿度を調整して空調風として室内へ吹き出すようになっている。またユニット本体２には不図示の室外機が接続され、室外機との間で冷媒が循環するようになっている。
【００２３】
またユニット本体２には化粧パネル、天井パネルと称されるパネル本体１５が設けられている。パネル本体１５は室内に露出している。パネル本体１５は下方から見て略正方形状をなしている。
【００２４】
吸込口３は、パネル本体１５の中央部に下方に開口して形成されており、室内の空気を吸い込むようになっている。また吸込口３にはエアフィルタ（不図示）が取付けられた吸込みグリル１６が設けられている。吸込口３からは、室内の空気が吸い込まれる。吸込みグリル１６はパネル本体１５と同様に下方から見て略正方形状をなしている。パネル本体１５の四辺の各々と吸込みグリル１６の四辺の各々とは平行となっている。
【００２５】
吹出口４は、パネル本体１５に、吸込口３の周囲を取り囲むようにして下方に開口して形成されている。より具体的には、これら吹出口４は、パネル本体１５の各辺に対応するように、一ずつが各辺に沿って延びるように設けられている。各々の吹出口４は下方から見て略長方形状をなしている。そして吸込口３から吸い込まれた空気は、ユニット本体２内で空気調和された後に吹出口４から室内へ吹き出される。
【００２６】
第一のルーバ１１は、各々の吸込口３寄りの位置（内側の位置）で、吹出口４の内側の部分を閉塞する閉位置と、吹出口４の内側の部分を開口する開位置との間で回動可能にパネル本体１５に設けられている。閉位置ではパネル本体１５の表面と第一のルーバ１１の表面とが面一になる。より具体的には各々の第一のルーバ１１は、各々の吹出口４よりもひとまわり小さな外形寸法を有する略直方体形状をなしている。
【００２７】
また第一のルーバ１１の回動中心軸Ｏ１は、パネル本体１５の各辺に沿って延び、かつ、内側の端部に配置されている。また第一のルーバ１１は不図示のアクチュエータ等の駆動装置によって回動させられる。これによりユニット本体２から吹き出される空気の風向が第一のルーバ１１によって調整される。
【００２８】
図３に示すように第二のルーバ１２は、各々の吹出口４における吸込口３とは反対側（外側）の端部に配置され、第一のルーバ１１とともに吹出口４を閉塞する閉位置と、吹出口４の外側の部分を開口する開位置との間で回動可能にパネル本体１５に設けられている。閉位置ではパネル本体１５の表面と第二のルーバ１２の表面とが面一になり、第二のルーバ１２は第一のルーバ１１とともに吹出口４全体を閉塞する。
【００２９】
より具体的には各々の第二のルーバ１２は、第一のルーバ１１の外側に配置されてパネル本体１５の辺に沿って延びるウィング部２１と、ウィング部２１の延在方向（パネル本体１５の辺の延びる方向）の両端でウィング部２１と一体に設けられ、ウィング部２１から内側に向かって延びるアーム部２２とを有している。
【００３０】
第二のルーバ１２の回動中心軸Ｏ２は、第一のルーバ１１の回動中心軸Ｏ１よりも内側に配置され、第一のルーバ１１の回動中心軸Ｏ１と平行に延びている。即ち、回動中心軸Ｏ２はアーム部２２の内側の端部を通過している。よってアーム部２２の根元の部分がパネル本体１５に対して回動可能となるように、第二のルーバ１２がパネル本体１５に取り付けられている。
ここで第二のルーバ１２には、第二のルーバ１２を回動可能にする回動機構３１が接続されている。
【００３１】
図４及び図５に示すように、回動機構３１は、ユニット本体２に収容されたネジシャフト３２と、ネジシャフト３２を回転させる駆動部としてのモータ３３と、ネジシャフト３２に設けられたナット３４と、ナット３４と第二のルーバ１２とを接続する接続部材３７と、第二のルーバ１２とユニット本体２とを接続する補助接続部材３８とを有している。
さらに、第二ルーバの裏面（上方を向く面）には、接続部材３７が接続されるルーバ支持部１２ａが第二のルーバ１２と一体に設けられている。また、ユニット本体２には、補助接続部材３８が接続される本体側支持部２ａがユニット本体２と一体に設けられている。
【００３２】
ネジシャフト３２は棒状をなしており、第二のルーバ１２の上方に配置されている。ネジシャフト３２は各々の第二のルーバ１２に対応して一つずつ設けられている。各々のネジシャフト３２は棒状をなし、パネル本体１５の辺、及び第二のルーバ１２の回動中心軸Ｏ２に沿って配置されている。ネジシャフト３２の外面には雄ねじが形成されている。例えばネジシャフト３２の一端がユニット本体２に設けられた軸受２５によって支持されている。
【００３３】
モータ３３はネジシャフト３２の他端にジョイント３５を介して接続されている。そしてモータ３３はネジシャフト３２を回転させる。ここで、モータ３３のモータ軸３３ａがネジシャフト３２に直接接続されていてもよいし、不図示の伝達機構（ギア、プーリー等）を介してモータ軸３３ａがネジシャフト３２に接続されていてもよい。
【００３４】
ナット３４は、ネジシャフト３２を挿通させてネジシャフト３２の雄ねじに螺合している。
【００３５】
接続部材３７は棒状をなしている。また、接続部材３７の一端はナット３４に支持され、かつ、他端が第二のルーバ１２のウィング部２１に向かって延びている。接続部材３７は例えばワイヤ等であってもよい。ここで詳細な図示は省略するが、例えば接続部材３７の一端は回動中心軸Ｏ２に交差する方向、即ち内側から外側に向かう方向に延びる軸線を中心にナット３４に対して回転可能にナット３４に接続されている。
【００３６】
ルーバ支持部１２ａは、ウィング部２１の裏面にから突出するように設けられて、接続部材３７の他端を支持している。ルーバ支持部１２ａには例えばピン４１が設けられている。そしてピン４１に接続部材３７の他端が接続されている。これにより接続部材３７の他端は、回動中心軸Ｏ２に交差する方向、即ち内側から外側に向かう方向に延びる軸線を中心にルーバ支持部１２ａに対して回転可能にルーバ支持部１２ａに接続されている。
【００３７】
ここで、本実施形態では、ルーバ支持部１２ａは回動中心軸Ｏ２に交差する方向に回動中心軸Ｏ２から離れた位置、即ち、ウィング部２１の外側の先端部に設けられている。
さらにルーバ支持部１２ａは、ウィング部２１における回動中心軸Ｏ２の方向の中央位置に設けられている。そして、ナット３４はこのルーバ支持部１２ａに対して回動中心軸Ｏ２の方向にずれた位置（本実施形態では、軸受２５側に寄った位置）に配置されている。
【００３８】
補助接続部材３８は、接続部材３７と同様に棒状をなしている。補助接続部材３８の一端はルーバ支持部１２ａに支持されている。また補助接続部材３８の他端はネジシャフト３２に向かって延びている。補助接続部材３８は例えばワイヤ等であってもよい。補助接続部材３８の一端は、上記のピン４１を介してルーバ支持部１２ａに接続されている。これにより、補助接続部材３８の一端は回動中心軸Ｏ２に交差する方向、即ち内側から外側に向かう方向に延びる軸線を中心にルーバ支持部１２ａに対して回転可能にルーバ支持部１２ａに接続されている。
【００３９】
本体側支持部２ａは、ユニット本体２に形成された長穴４２と、長穴４２に配置されたピン（ピン状部材）４３とを有している。
長穴４２は、回動中心軸Ｏ２に沿って延びるとともに、ルーバ支持部１２ａに対して回動中心軸Ｏ２の方向にずれた位置（本実施形態では、モータ３３側によった位置）に配置されている。即ち、ルーバ支持部１２ａを挟んでナット３４とは回動中心軸Ｏ２の方向の反対側に長穴４２が配置されている。また長穴４２は、ネジシャフト３２の下方に配置されている。
【００４０】
ピン４３は、長穴４２に配置され、長穴４２内を回動中心軸Ｏ２の方向に移動可能となっている。またこのピン４３に補助接続部材３８の他端が接続されている。これにより、補助接続部材３８の他端は、回動中心軸Ｏ２に交差する方向、即ち内側から外側に向かう方向に延びる軸線を中心に長穴４２に対して回転可能に長穴４２に接続されている。
【００４１】
以上説明した本実施形態の空気調和機１によると、モータ３３を回転駆動することでネジシャフト３２が回転する。これによりナット３４がネジシャフト３２に対して相対回転する。そしてルーバ支持部１２ａに対してナット３４をネジシャフト３２上で遠ざけるようにネジシャフト３２を回転させることで、接続部材３７を引っ張り、これにともなってルーバ支持部１２ａを引っ張り、第二のルーバ１２を上方に持ち上げることができる。
【００４２】
このようにして容易に第二のルーバ１２を持ち上げ、第二のルーバ１２を閉位置に配置することができる。一方、ナット３４がネジシャフト３２上でルーバ支持部１２ａに近づくようにネジシャフト３２を回転させることで、第二のルーバ１２の先端部が接続部材３７によって下方に押されるとともに第二のルーバ１２の先端部が自重で下方に下がる。よって容易に第二のルーバ１２の先端部を吹出口４から遠ざけ、第二のルーバ１２を開位置に配置することができる。
【００４３】
さらに、回動中心軸Ｏ２から離れた外側の先端部の位置で接続部材３７が第二のルーバ１２の裏面に接続されている。このため、第二のルーバ１２を回動させる際に、第二のルーバ１２の先端部が自重で撓み変形してしまうことを抑制できる。よって第二のルーバ１２の先端部となる外側端部に接続部材３７が接続されていることで、第二のルーバ１２の撓み変形の抑制のための第二のルーバ１２の強度アップが必要でなくなり、第二のルーバ１２の大型化を抑えることが可能である。また、第二のルーバ１２の大型化を抑えることでモータ３３の駆動力アップの必要がなくなり、モータ３３の大型化を回避できる。
【００４４】
さらに、第二のルーバ１２が開位置から閉位置に回動する際には、ネジシャフト３２の回転によってナット３４が回動中心軸Ｏ２の方向にルーバ支持部１２ａから離れる方向に移動し、接続部材３７がルーバ支持部１２ａを引っ張るように動作する。この際、ルーバ支持部１２ａと本体側支持部２ａとを接続する補助接続部材３８を設けることで、補助接続部材３８によって接続部材３７の引っ張り方向とは反対方向にルーバ支持部１２ａを引っ張るような力を発生させることができる。
【００４５】
この結果、接続部材３７による引っ張りに対抗できるように、第二のルーバ１２の撓み変形抑制のために、第二のルーバ１２の強度を上げる必要がなくなる。従って第二のルーバ１２の強度アップの必要性を抑えつつネジシャフト３２の駆動によって第二のルーバ１２の開閉を容易に行うことが可能となる。
【００４６】
〔変形例〕
図６に示すように、本体側支持部２ａの長穴５２は、ルーバ支持部１２ａに近接する側よりも、ルーバ支持部１２ａから離れる側の方が上方に位置していてもよい。即ち、長穴４２は、回動中心軸Ｏ２の方向にルーバ支持部１２ａに向かって下方に傾斜するように設けられていてもよい。
【００４７】
この場合、第二のルーバ１２を接続部材３７が持ち上げる際、即ち開位置から閉位置に第二のルーバ１２が移動する際、長穴５２内をピン４３が移動し、ピン４３が下方に向かうことで、第二のルーバ１２が閉位置に近づくにつれて第二のルーバ１２の上方への持ち上げ量を大きくすることができる。この結果、閉位置で第二のルーバ１２によってしっかりと吹出口４を閉塞することができる。
【００４８】
また図７に示すように、長穴６２は、回動中心軸Ｏ２に沿って延びる直線部６３と、直線部６３よりもルーバ支持部１２ａに近接する側で直線部６３に連続して、回動中心軸Ｏ２の方向にルーバ支持部１２ａに近づくに従って下方に向かって傾斜して延びる傾斜部６４とを有していてもよい。
【００４９】
この場合、第二のルーバ１２が開位置から閉位置に向かうにつれて、直線部６３内をピン４３が移動している間はネジシャフト３２の回転数が一定であれば一定の上昇率でルーバが持ち上げられ、最終的に閉位置に近づくと傾斜部６４内をピン４３が移動してピン４３が下方へ落ち込むように動作し、第二のルーバ１２の上方への持ち上げ量を急激に大きくすることができる。この結果、閉位置で第二のルーバ１２によってしっかりと吹出口４を閉塞することができる。
【００５０】
また図８に示すように、空気調和機１には、ユニット本体２に対してナット３４の相対回転を規制する規制部７１がさらに設けられていてもよい。規制部７１は、例えばネジシャフト３２に平行に設けられたシャフトである。規制部７１は、ナット３４にネジシャフト３２が挿通された位置よりもナット３４の外周側でナット３４を回動中心軸Ｏ２の方向に貫通して設けられている。そして規制部７１に対してナット３４が回動中心軸Ｏ２の方向にスライド移動可能となっている。
ここで、例えば規制部７１としてナット３４に形成したキー溝に挿入されるとともにユニット本体２に固定されたキー等を用いてもよい。
【００５１】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【００５２】
例えば、上記のネジシャフト３２を有する送りねじ構造の回動機構３１を、第一のルーバ１１の回動の駆動装置に用いてもよい。この場合、空気調和機には第二のルーバ１２が設けられていなくともよい。
【００５３】
また補助接続部材３８は必ずしも設けなくともよい。
【００５４】
駆動部はモータには限定されず、モータを用いないアクチュエータ等であってもよい。
【００５５】
また、本体側支持部２ａではなくルーバ支持部１２ａに長穴を形成し、ピン４１を長穴に配置してもよい。
【符号の説明】
【００５６】
１…空気調和機
２…ユニット本体（本体部）
２ａ…本体側支持部
３…吸込口
４…吹出口
１１…第一のルーバ
１２…第二のルーバ（ルーバ）
１２ａ…ルーバ支持部
１５…パネル本体
１６…吸込みグリル
２１…ウィング部
２２…アーム部
２５…軸受
３１…回動機構
３２…ネジシャフト
３３…モータ（駆動部）
３３ａ…モータ軸
３４…ナット
３５…ジョイント
３７…接続部材
３８…補助接続部材
４１…ピン
４２、５２、６２…長穴
４３…ピン（ピン状部材）
６３…直線部
６４…傾斜部
７１…規制部
Ｏ１…回動中心軸
Ｏ２…回動中心軸
【図１】
2018115808.tif 000003
【図２】
2018115808.tif 000004
【図３】
2018115808.tif 000005
【図４】
2018115808.tif 000006
【図５】
2018115808.tif 000007
【図６】
2018115808.tif 000008
【図７】
2018115808.tif 000009
【図８】
2018115808.tif 000010